(57)【要約】【課題】  脱硫器とイオン交換樹脂のメンテナンスを容易にする。【解決手段】  燃料電池発電装置の筐体３５の前面部の所要個所に、脱硫器３６とイオン交換樹脂３７を左右に並べた状態で通過できる開口部３８を設ける。開口部３８にはパネル状の蓋３９を備える。脱硫器３６とイオン交換樹脂３７を左右に並べて据え付けることができるようにしてある据付台４０の右端部に一体に設けた円筒部材４３を、筐体３５における開口部３８の内側右端部位置に設けた支柱部材４２に回転自在に嵌合させる。開口部３８の蓋３９を取り外し、更に、支柱部材４２を中心に据付台４０を前方へ回転させて、据付台４０上における脱硫器３６とイオン交換樹脂３７の据付個所を、開口部３８を通して筐体３５の外側へ引き出した状態で、据付台４０に対する脱硫器３６とイオン交換樹脂３７の交換作業を実施させる。【選択図】図１
2009230908.tif 000002
【特許請求の範囲】
【請求項１】
燃料電池発電装置の筐体のメンテナンス面となる面部の所要個所に、脱硫器とイオン交換樹脂を並べて出し入れ可能な開口部を設けると共に、該開口部の内側の筐体内スペースに、脱硫器とイオン交換樹脂を並べて据え付けるための据付台を設け、更に、上記開口部を開閉するための蓋を備えてなる構成を有することを特徴とする燃料電池発電装置の脱硫器及びイオン交換樹脂保持装置。
【請求項２】
開口部の内側に設けた据付台を、脱硫器とイオン交換樹脂と共に上記開口部を通して筐体の外方へ引き出すことができるようにした請求項１記載の燃料電池発電装置の脱硫器及びイオン交換樹脂保持装置。
【発明の詳細な説明】
【技術分野】
【０００１】
本発明は、燃料の有する化学エネルギーを直接電気エネルギーに変換するエネルギー部門で用いる燃料電池にて、燃料処理装置へ供給する燃料を脱硫処理するための脱硫器と、燃料電池の冷却水を処理するためのイオン交換樹脂を、該燃料電池発電装置の筐体内に保持させるための燃料電池発電装置の脱硫器及びイオン交換樹脂保持装置に関するものである。
【背景技術】
【０００２】
燃料電池は、燃料を用いた他の発電方法に比して熱効率が高く、又、環境汚染が少ないため、有効な発電装置として期待されている。特に、固体高分子型燃料電池（ＰＥＦＣ）は、１００℃以下という低温で発電が行われ、出力密度が高いので、他の形式の燃料電池に比して小型化でき、しかも、電池構成材料の劣化が少ないこと、起動が容易であること、等の長所があることから、近年、小規模な業務用あるいは家庭用等の発電装置として使用されるようになってきている。
【０００３】
上記固体高分子型燃料電池を用いた燃料電池発電装置（ＰＥＦＣ発電装置）の一般的な構成は、以下のようにしてある。すなわち、図４に示す如く、電解質としてフッ素系のイオン交換膜が用いられている固体高分子電解質膜の両面をカソード（空気極）２とアノード（燃料極）３の両ガス拡散電極で挟持させてなるセルを、セパレータ（図示せず）を介し積層してスタックとしてなる構成として固体高分子型燃料電池１を形成する。上記固体高分子型燃料電池１におけるアノード３の入口側には、改質器５、低温シフトコンバータ６、ＣＯ選択酸化反応器（ＣＯ除去器）７を順に備えてなる燃料処理装置４を、途中に加湿器８を備えた改質ガスライン９を介して接続するようにしてある。これにより、燃料供給部より原料供給ライン１１を経て供給される都市ガス（天然ガス）やＬＰＧ、灯油等の原料（原燃料）１０を、該原料供給ライン１１上に設けてある脱硫器１２にて脱硫した後、原料予熱器１３にて予熱してから上記燃料処理装置４へ供給し、同時に、水供給ライン１４上の水蒸発器１５で水蒸気の状態とした改質水１６を上記燃料処理装置４へ供給することで、該燃料処理装置４の改質器５にて水蒸気改質を行わせるようにしてある。この水蒸気改質により得られる改質ガス（燃料ガス）１７は、上記低温シフトコンバータ６及びＣＯ選択酸化反応器７にて処理した後、改質ガスライン９上の加湿器８を経た後、上記固体高分子型燃料電池１のアノード３へ供給されるようにしてある。一方、上記カソード２の入口側には、酸化ガスとして空気１８が、空気ブロワ１９で加圧された後、上記加湿器８を経てから供給されるようにしてある。
【０００４】
かかる構成としてあることにより、上記固体高分子型燃料電池１にて、アノード３側に供給される改質ガス１７中の水素と、カソード２側に供給される空気１８中の酸素とを電気化学反応（燃料電池反応）させて、発生する起電力を取り出すようにしてある。
【０００５】
又、上記固体高分子型燃料電池１の冷却部２０の入口側には、純水タンク２１を、冷却水ポンプ２３、ラジエータ２４を上流側より順に備えた冷却水ライン２２を介し接続し、且つ上記冷却部２０の出口側に一端を接続してある冷却水戻しライン２５の他端を、上記純水タンク２１へ接続する。これにより、上記固体高分子型燃料電池１の運転中に、上記冷却水ポンプ２３を運転することにより、上記純水タンク２１より冷却水ライン２２へ導かれる冷却水２６を、ラジエータ２４を経て固体高分子型燃料電池１の冷却部２０へ供給して、固体高分子型燃料電池１における電気化学反応（燃料電池反応）の生成熱と熱交換させて、電池温度を冷却できるようにしてある。この電池温度の冷却に供された後に昇温されて排出される冷却水２６は、冷却水戻しライン２５を経て上記純水タンク２１へ戻して循環させるようにしてある。
【０００６】
なお、上記のような燃料電池発電装置にて、総合的熱効率の向上化を図るための手段の１つとして、上記燃料処理装置の改質器から排出される燃焼排ガスと、燃料電池のカソードより排出されるカソードオフガス中に存在する水分を排ガス凝縮器にて凝縮させて回収し、この回収された回収水を、上記燃料電池の冷却水循環系に供給して再利用することが考えられている。
【０００７】
このように、改質器の燃焼排ガスとカソードオフガスからの回収水を燃料電池の冷却水循環系に供給する場合は、上記冷却水循環系の機器に腐食等の悪影響を及ぼす虞を未然に防止するために、上記回収水は、予めイオン交換樹脂を具備した純水装置へ供給して、該純水装置により処理することで、溶存酸素量、電気電導度、濁度、ｐＨ等を所定の水準に調整してから、冷却水として使用するようにしてある。
【０００８】
ところで、燃料電池発電装置における脱硫器や、冷却水中の不純物を除去するための浄化装置や、純水装置におけるイオン交換樹脂は、燃料電池発電装置の運転時間が長くなるに伴い、その性能が次第に低下するようになるため、そのままでは燃料電池発電装置の運転が維持できなくなる。そのために、上記脱硫器、浄化装置、イオン交換樹脂については、交換やメンテナンスが必要とされる。
【０００９】
そこで、上記燃料電池発電装置の運転を継続するのに交換や再生が必要な部品である上記脱硫器と、浄化装置と、イオン交換装置（イオン交換樹脂）を、燃料電池発電装置の筐体（パッケージ）の外面パネルの近傍に配置できるようにするための構成として、図５に示す如く、燃料電池発電装置の筐体２７の前面部における右端部の所要個所に、縦方向に配置する浄化装置２８とイオン交換装置２９の取付位置に対応させた小窓３０を設けて、該小窓３０の内側に上記浄化装置２８とイオン交換装置２９とを取り付けると共に、上記筐体２７の前面部における左寄りの所要個所に、脱硫器３１の取付位置に対応させた小窓３２を設けて、該小窓３２の内側に上記脱硫器３１を取り付けてなる構成とし、更に、上記各小窓３０，３２に、蓋体３３，３４をそれぞれ着脱可能に取り付けた構成とすることが提案されている。
【００１０】
上記構成によれば、各小窓３０，３２を覆っている蓋体３３，３４を取り外すことにより、小窓３０を介して上記浄化装置２８とイオン交換装置２９のメンテナンスを、又、小窓３２を通して脱硫器３１のメンテナンスを、それぞれ簡単に行うことができるとされている（たとえば、特許文献１参照）。
【００１１】
【特許文献１】特開２００６−１４０１６４号公報
【発明の開示】
【発明が解決しようとする課題】
【００１２】
ところが、上記のような燃料電池発電装置の運転を継続するのに交換や再生が必要とされる部品の取外しや取付けを、該燃料電池発電装置のエンドユーザ（客先）が行うことがあり、このようにエンドユーザによる上記燃料電池発電装置の運転を継続するのに交換や再生が必要とされる部品の取外しと取付け作業を実施させるようにするためには、該部品の脱着作業をできるだけ簡便にすることが望まれる。
【００１３】
そこで、本発明者は、上記のような燃料電池発電装置の運転を継続するのに交換や再生が必要とされる部品の脱着に要する作業をより容易なものとするための工夫、研究を重ねた結果、固体高分子型燃料電池を用いた燃料電池発電装置では、脱硫器と、イオン交換樹脂が、共に数千時間程度の運転時間という比較的高い頻度での交換が必要になるという点に着目して、燃料電池発電装置の筐体内にて上記脱硫器とイオン交換樹脂を集約して保持させておくようにすれば、該脱硫器とイオン交換樹脂を筐体より一度の作業で取り出して、メンテナンスに要する時間と手間を削減できることを見出して本発明をなした。
【００１４】
したがって、本発明の目的とするところは、燃料電池発電装置の脱硫器とイオン交換樹脂のメンテナンスに要する作業を容易なものとすることができるように、該脱硫器とイオン交換樹脂を燃料電池発電装置の筐体内に保持させるようにするための燃料電池発電装置の脱硫器及びイオン交換樹脂保持装置を提供しようとするものである。
【課題を解決するための手段】
【００１５】
本発明は、上記課題を解決するために、請求項１に対応して、燃料電池発電装置の筐体のメンテナンス面となる面部の所要個所に、脱硫器とイオン交換樹脂を並べて出し入れ可能な開口部を設けると共に、該開口部の内側の筐体内スペースに、脱硫器とイオン交換樹脂を並べて据え付けるための据付台を設け、更に、上記開口部を開閉するための蓋を備えてなる構成とする。
【００１６】
又、上記構成において、開口部の内側に設けた据付台を、脱硫器とイオン交換樹脂と共に上記開口部を通して筐体の外方へ引き出すことができるようにした構成とする。
【発明の効果】
【００１７】
本発明の燃料電池発電装置の脱硫器及びイオン交換樹脂保持装置によれば、以下のような優れた効果を発揮する。 
（１）燃料電池発電装置の筐体のメンテナンス面となる面部の所要個所に、脱硫器とイオン交換樹脂を並べて出し入れ可能な開口部を設けると共に、該開口部の内側の筐体内スペースに、脱硫器とイオン交換樹脂を並べて据え付けるための据付台を設け、上記開口部に開閉するための蓋を備えてなる構成としてあるので、燃料電池発電装置の運転に伴い同時期に、しかも、高い頻度で交換時期を迎える脱硫器とイオン交換樹脂の取り外しと取り付け作業を、筐体に設けた１つの開口部の蓋を取外すのみで実施できるため、上記脱硫器とイオン交換樹脂のメンテナンスを容易なものとすることができて、メンテナンス作業に要する手間及び時間を削減することができる。 
（２）開口部の内側に設けた据付台を、脱硫器とイオン交換樹脂と共に上記開口部を通して筐体の外方へ引き出すことができるようにした構成とすることにより、上記脱硫器とイオン交換樹脂の据付台への脱着作業を、開口部を通して筐体の外方へ引出した状態の据付台に対して行うことができるようになるため、脱硫器及びイオン交換樹脂のメンテナンスを、更に容易なものとすることができて、該メンテナンス作業に要する手間及び時間の更なる削減化を図ることができる。
【発明を実施するための最良の形態】
【００１８】
以下、本発明を実施するための最良の形態を図面を参照して説明する。
【００１９】
図１（イ）（ロ）及び図２（イ）（ロ）は本発明の燃料電池発電装置の脱硫器及びイオン交換樹脂保持装置の実施の一形態を示すもので、以下のようにしてある。
【００２０】
すなわち、燃料電池発電装置の筐体３５のメンテナンス面となる前面部３５ａの所要個所、たとえば、右端部に、脱硫器３６とイオン交換樹脂３７とを左右に並べて配置した状態で内外方向に通過できるサイズの開口部３８を設ける。該開口部３８には、上記筐体３５の前面パネルの一部となるパネル状の蓋３９を着脱可能に備える。
【００２１】
上記開口部３８の内側には、左右方向に所要寸法延びて上記脱硫器３６とイオン交換樹脂３７とを左右に並べて据付けることができるようにした据付台４０を配置する。更に、該据付台４０と、上記筐体３５における開口部３８の内側の固定部となる内底面との間に、据付台４０における上記脱硫器３６とイオン交換樹脂３７の据付個所を上記開口部３８を通して筐体３５の外方へ引出すことができるようにするため可動機構４１を介在させて設ける。
【００２２】
具体的には、上記可動機構４１は、図２（イ）（ロ）に示す如く、上記筐体３５の開口部３８における左右いずれか一方の端部、たとえば、右端部の内側位置に、鉛直方向に所要寸法延びる円柱形状の支柱部材４２を立設すると共に、該支柱部材４２の外周に、上記据付台４０の右端部に一体に取り付けた上下方向の円筒部材４３を回転自在に嵌合させてなる構成としてある。これにより、上記据付台４０を、上記円筒部材４３と一体に上記支柱部材４２を中心に水平方向へ回動させることで、据付台４０全体を上記筐体３５における開口部３８の内側に収納した配置から、該据付台４０における上記円筒部材４３の近傍となる右端部を除く領域を、上記開口部３８を通して筐体３５の外方へ突出させた配置まで、前後に移動させることができるようにしてある。
【００２３】
上記据付台４０の上側には、たとえば、左右長手方向の中間部に、上下方向に所要寸法延びる支持プレート４４が立設してあり、該据付台４０上における上記支持プレート４４を挟んだ両側位置に、上記脱硫器３６とイオン交換樹脂３７を配置すると共に、該脱硫器３６及びイオン交換樹脂３７の上下方向所要個所を、上記支持プレート４４にＵボルトやバンド等の図示しない取付部材を介して着脱可能にそれぞれ取り付けることで、上記脱硫器３６及びイオン交換樹脂３７を、上記据付台４０上に据え付けて支持させることができるようにしてある。
【００２４】
なお、図示してないが、上記脱硫器３６に接続する燃料供給側と燃料送出側の各ライン、及び、上記イオン交換樹脂３７に接続する水供給側と水送出側の各ラインは、いずれもフレキシブルなラインとして、上記据付台４０の上記支柱部材４２を中心とする前後方向の回動に伴う該据付台４０上の脱硫器３６やイオン交換樹脂３７の前後方向への変位に追従できるようにしてあるものとする。
【００２５】
更に、上記筐体３５における開口部３８の内側に据付台４０全体を収納した状態にて、地震時等に該据付台４０が筐体３５内で前後方向へ想定外の変位をしないように拘束するための拘束機構として、たとえば、上記据付台４０全体を上記開口部３８の内側に収納した状態のときに上記円筒部材４３の周壁部にて開口部３８に臨む配置となる所要個所に、内外方向に貫通させた図示しないねじ穴を設けると共に、該ねじ穴に、外側から止めねじ４５を取り付けてなる構成としてある。これにより、上記筐体３５における開口部３８の内側に据付台４０全体を収納した状態で上記止めねじ４５を締め込んで、該止めねじ４５の先端部を上記円筒部材４３の内側の支柱部材４２の外周面に押し付けることで、上記据付台４０の前後方向への回動を拘束できるようにし、一方、上記止めねじ４５を緩めることで、上記据付台４０の拘束を解除できるようにしてある。
【００２６】
以上の構成としてある燃料電池発電装置の脱硫器及びイオン交換樹脂の保持装置を使用する場合は、先ず、筐体３５の開口部３８の蓋３９を取り外し、上記止めねじ４５を緩めた状態で上記据付台４０を開口部３８より筐体３５の外方へ突出する配置となるように引き出した後、該筐体３５の外方へ突出している据付台４０の上側に、脱硫器３６とイオン交換樹脂３７を配置すると共に、該脱硫器３６とイオン交換樹脂３７を、上記支持プレート４４に図示しない取付部材を介しそれぞれ取り付けて、上記据付台４０上に支持させる。更に、この開口部３８より外方に突出させて配置してある据付台４０上に支持させた状態の上記脱硫器３６に、図示しない燃料供給側と送出側の各ラインを接続すると共に、上記イオン交換樹脂３７に図示しない水供給側と水送出側の各ラインを接続するようにしておく。
【００２７】
その後、上記据付台４０を支柱部材４２を中心に後方へ回動させて上記筐体３５の開口部３８の内側へ移動させることで、該据付台４０上に据え付けてある脱硫器３６及びイオン交換樹脂３７を上記筐体３５における開口部３８の内側へ収納させる。
【００２８】
上記のようにして上記脱硫器３６及びイオン交換樹脂３７が筐体３５内に収納された後は、上記円筒部材４３に設けてある止めねじ４５を締めて、該止めねじ４５の先端部を支柱部材４２の外周面に押し付けて、上記据付台４０を回動しないように拘束してから、上記開口部３８に蓋３９を取り付けて閉塞させる。しかる後、この状態で、上記燃料電池発電装置の運転を行わせるようにする。
【００２９】
上記燃料電池発電装置の運転時間が数千時間程度に達して、上記脱硫器３６とイオン交換樹脂３７の交換時期を迎えた場合は、上記した脱硫器３６とイオン交換樹脂３７の装着手順とは逆の手順、すなわち、先ず、上記筐体３５の開口部３８の蓋３９を取外した後、上記止めねじ４５を緩めてから、上記据付台４０を開口部３８より筐体３５の外方へ突出する配置となるまで引出し、次いで、上記脱硫器３６より図示しない燃料供給側と燃料送出側の各ラインを取外すと共に、上記イオン交換樹脂３７より図示しない水供給側と水送出側の各ラインをそれぞれ取外し、更に、上記脱硫器３６とイオン交換樹脂３７を、支持プレート４４より取外すことで、上記据付台４０上より撤去するようにする。
【００３０】
その後、新たなあるいは再生した脱硫器３６とイオン交換樹脂３７を、前述の取り付け手順にしたがって取り付けることで、上記脱硫器３６とイオン交換樹脂３７の脱着、交換作業が行われるようになる。
【００３１】
このように、本発明の燃料電池発電装置の脱硫器及びイオン交換樹脂保持装置によれば、燃料電池発電装置の運転に伴い同時期に且つ高い頻度で交換時期を迎える脱硫器３６とイオン交換樹脂３７の取り外しと取り付け作業を、筐体３５に設けた１つの開口部３８の蓋３９を取外すのみで実施できる。しかも、上記脱硫器３６とイオン交換樹脂３７が据え付けてある据付台４０を上記開口部３８を通して筐体３５の外方へ引出した状態で実施できるため、上記脱硫器３６及びイオン交換樹脂３７のメンテナンスを容易なものとすることができて、該メンテナンス作業に要する手間及び時間の削減化を図ることができる。
【００３２】
次に、図３（イ）（ロ）は本発明の実施の他の形態を示すもので、図１（イ）（ロ）及び図２（イ）（ロ）に示したと同様の構成において、筐体３５の開口部３８の内側に収納する脱硫器３６とイオン交換樹脂３７の据付台４０と、上記筐体３５内の固定部との間に設けて、上記据付台４０上における上記脱硫器３６とイオン交換樹脂３７の据付個所を上記開口部３８を通して筐体３５の外方へ引出すことができるようにするため可動機構４１を、上記筐体３５側に設けた支柱部材４２と、上記据付台４０の右端部に一体に取り付けて上記支柱部材４２の外周に回転自在に嵌合させた円筒部材４３とからなる構成とすることに代えて、上記筐体３５の内部における開口部３８の下端部と対応する高さ位置に、該開口部３８の左右両端部付近より後方へ延びる左右一対のガイドレール４６、たとえば、左右で対向する一対の溝型のガイドレール４６を設けると共に、該ガイドレール４６に上下方向の変位を拘束した状態で長手方向へスライド可能に保持させたガイドブロック４７を、上記据付台４０の後端部の左右両側位置にそれぞれ取り付けてなる構成の可動機構４１ａとしたものである。これにより、上記据付台４０を、その後端部の左右位置に取り付けてある各ガイドブロック４７と一体に各ガイドレール４６に沿わせて後方へ移動させることで、該据付台４０全体を筐体３５の開口部３８の内側へ収納できるようにしてある。一方、上記据付台４０を、上記各ガイドブロック４７と一体に各ガイドレール４６に沿わせて前方へ移動させることで、該据付台４０の後端部を除く領域を上記開口部３８を通して筐体３５の外方へ引き出すことができるようにしてある。
【００３３】
なお、上記筐体３５における開口部３８の内側に据付台４０全体を収納した状態にて、地震時等に該据付台４０が筐体３５内で前後方向へ想定外の変位をしないように拘束するための拘束機構としては、たとえば、上記据付台４０の前端部所要個所にピン孔４９を備えたブラケット４８を取り付けると共に、上記据付台４０全体を上記筐体３５の開口部３８を内側に収納した状態で上記ブラケット４８のピン孔４９の位置と対応する上記筐体３５における内底部の所要個所に図示しないピン孔を設けて、該据付台４０側のブラケット４８のピン孔４９と、上記筐体３５側に設けてある図示しないピン孔にピン５０を上方より挿通させることで、上記据付台４０を、筐体３５内に全体を収納した状態で前後方向の変位を拘束できるようにしてある。
【００３４】
５１は上記ガイドブロック４７のガイドレール４６に沿った前方への過剰な移動を防止するためのストッパである。その他の構成は図１（イ）（ロ）及び図２（イ）（ロ）に示したものと同様であり、同一のものには同一の符号が付してある。
【００３５】
本実施の形態によっても、筐体３５の開口部３８の蓋３９を外し、上記ピン５０を抜き取った状態にて、上記据付台４０を開口部３８を通して筐体３５の外方へ引出した状態で、該据付台４０への脱硫器３６とイオン交換樹脂３７の取り付けや取り外し作業を実施できることから、上記実施の形態と同様の効果を得ることができる。
【００３６】
なお、本発明は、上記実施の形態にのみ限定されるものではなく、据付台４０と筐体３５内の固定部との間に介在させる可動機構は、据付台４０を、筐体３５の開口部３８の内側に収納した配置と、該据付台４０における脱硫器３６とイオン交換樹脂３７の据付個所を上記開口部３８を通して筐体３５の外方へ突出させた配置との間で変位させることができるようにしてあれば、図示した以外のいかなる可動機構を採用してもよい。
【００３７】
据付台４０の上に脱硫器３６とイオン交換樹脂３７とを並べて据え付けた状態で支持できるようにしてあれば、該据付台４０上における上記脱硫器３６とイオン交換樹脂３７の支持は、該据付台４０の長手方向中間部に立設した支持プレート４４以外のいかなる支持構造を採用してもよい。
【００３８】
燃料電池発電装置の筐体３５における開口部３８の内側に据付台４０全体、すなわち、該据付台４０上に据え付ける脱硫器３６とイオン交換樹脂３７を上記筐体３５の開口部３８の内側に収納した状態にて、地震時等に該据付台４０が筐体３５内で前後方向へ想定外の変位をしないように拘束するための拘束機構は、上記据付台４０の前後方向の変位を解除可能に拘束できるようにしてあれば、図示した以外のいかなる構成のものを採用してもよい。又、筐体３５の内部に据付台４０を収納した段階で、該据付台４０の前後の空間がごく狭く制限されていれば、上記拘束機構は省略してもよい。
【００３９】
燃料電池発電装置の筐体３５の前面部３５ａにおける上記脱硫器３６とイオン交換樹脂３７を集約して設置するための開口部３８は、筐体３５の内部に設ける他の機器の配置に応じて、上下及び左方向に位置を適宜変更してもよい。上記燃料電池発電装置の筐体３５にて、メンテナンスのために作業者が近付くことが可能な面であれば、上記脱硫器３６とイオン交換樹脂３７を集約して設置するための開口部３８は、該筐体３５の左右の側面又は背面に設けるようにしてもよい。
【００４０】
その他本発明の要旨を逸脱しない範囲内で種々変更を加え得ることは勿論である。
【図面の簡単な説明】
【００４１】
【図１】本発明の燃料電池発電装置の脱硫器及びイオン交換樹脂保持装置の実施の一形態を示すもので、（イ）は燃料電池発電装置の筐体の開口部の蓋を取り外した状態を示す概略正面図、（ロ）は一部切断概略側面図である。
【図２】図１の装置における据付台の部分を拡大して示すもので、（イ）は正面図、（ロ）は平面図である。
【図３】本発明の実施の他の形態を示すもので、（イ）は据付台の部分を拡大して示す正面図、（ロ）は据付台の部分を拡大して示す平面図である。
【図４】従来提案されている燃料電池発電装置の一例を示す概要図である。
【図５】従来提案されている燃料電池発電装置の筐体に据え付ける脱硫器とイオン交換装置の配置を示す概要図である。
【符号の説明】
【００４２】
３５  筐体
３５ａ  前面部（メンテナンス面）
３６  脱硫器
３７  イオン交換樹脂
３８  開口部
３９  蓋
４０  据付台
【図１】
2009230908.tif 000003
【図２】
2009230908.tif 000004
【図３】
2009230908.tif 000005
【図４】
2009230908.tif 000006
【図５】
2009230908.tif 000007